(57)【要約】      （修正有）【課題】ペンダント等の装身具であって、従来のものに比べて変化に富んだものを提供すること。【解決手段】装身具、例えばペンダントの中央部に上下方向の穴２を設け、この穴に蛍光棒等の発光体や香料を入れて使用することができるようにした。装身具は、透明ないし半透明のプラスチック材料、ガラス等で作られ、外径がハート型等の左右対称形状で、その中央部に上下方向の穴を設けている。また、この穴の左右両側には、鎖等を繋ぐ紐穴５２等が設けられている。【選択図】図６
0003124952.tif 000002
【実用新案登録請求の範囲】
【請求項１】
中央部に、香料もしくは発光体を収納可能な上下方向の穴が設けられていることを特徴とする装身具。
【請求項２】
装身具が左右対称的な形状に形成され、その左右中央部に上下方向の穴が設けられている請求項１に記載の装身具。
【請求項３】
装身具の材質が透明ないし半透明なプラスチック材料又はガラスである請求項１又は２に記載の装身具。
【請求項４】
装身具の上部に左右１対の耳状の突起が形成され、当該突起部には、表裏に通ずる紐穴が設けられている請求項１ないし３のいずれかに記載の装身具。
【考案の詳細な説明】
【技術分野】
【０００１】
本考案は、ペンダント等の装身具に関するものである。
【背景技術】
【０００２】
装身具としては、首から吊り下げるペンダントや、衣服、バッグ等に取り付けるブローチ等の種々のアクセサリーが広く愛用されている。この種の装身具は、適度の大きさの塊状体であり、重量も使用するものの負担にならない程度に軽いものとされているのが一般的である。例えば、鎖等の紐体で首から吊り下げるペンダントとしては、宝石を取り付けたもの、花や動物の形状を模した意匠を施したもの等、種々のものが古くから愛用されている。
【０００３】
これら装身具のうち、ペンダントを例にとると、美的デザインを施すだけではなく、特別の機能を持たせたものが提案されている。このようなペンダントとしては、例えば特許文献１、特許文献２、特許文献３、特許文献４等に記載したものがある。
【０００４】
【特許文献１】特開２００４−９７５０７号公報
【特許文献２】特開２００５−５２２３０号公報
【特許文献３】実用新案登録第３０９９７５３号公報
【０００５】
上記特許文献１に記載のものは、勾玉形状のペンダント本体に宝石用取付穴及び誕生石取付穴を設けたもので、宝石取付用の穴に他人に贈る宝石を収納保持しておくようになっている。また、特許文献２に記載のものは、ネックレスとの連結部を備えたペンダントの筒状の台座の背面に平坦な定着部を設け、前面頂部略中央に設けた吊り下げ部と吊り下げ部の先端に吊り下げ穴を設けて、宝石を取り付けた装飾片を揺動可能に吊り下げたものである。さらに、特許文献３に記載のものは、ペンダント主体の表面に幸運を表す言葉、絵等の表示部を設け、裏蓋を開けたときに露出する一方の内面に前記表示部に対応する言葉を、他方の裏蓋の内面にはそれを表現する絵又は立体意匠を設けたものである。
【考案の開示】
【考案が解決しようとする課題】
【０００６】
上記特許文献１ないし特許文献３に記載のものは、いずれも構造的に工夫がなされていて、単なる装飾以外の機能を有するものとなっている。しかしながら、ペンダントは、各人の好みに合わせて選択使用するものであるから、種類の多い方が選択範囲が広がることになり、好みにあったものを選びやすくなるため、さらに異なる形状や機能を具備するものに対する要望も多い。
【０００７】
また、従来公知のものは、いずれも宝石を取り付けるか、特別の意匠を施すことによって美観を向上させたものが主体であり、それ自体が発光するものや、香りを発するものはなかった。そこで、本考案は、発光体や香料を用いて、従来とは趣の異なる装身具を提供することを課題としている。
【課題を解決するための手段】
【０００８】
上記課題を解決するため、本考案は次のような構成の装身具を提供する。すなわち、請求項１に記載の装身具は、装身具本体の中央部に、香料もしくは発光体を収納可能な上下方向の穴が設けられていることを特徴としている。装身具本体の形状は、請求項２に記載のように、左右対称的な形状（例えばハート型）としておくのが好ましい。この装身具の材質としては、請求項３に記載のように、透明ないし半透明なプラスチック材料又はガラスが好ましい。また、請求項４に記載の装身具は、上記請求項１に記載の構成に加えて、装身具本体の上部の前記穴の両側に左右１対の耳状の突起部を形成し、当該突起部に表裏方向の通孔からなる紐穴を設けたものである。
【考案の効果】
【０００９】
請求項１に記載の装身具は、本体の左右中央部に上下方向の穴が設けられていて、この穴のなかに蛍光棒等の発光体や香料を入れることができるので、変化に富んだ楽しみが得られる。すなわち、この穴に発光体を入れておけば、夜間や暗い場所でそれ自体が光って見えるので、格別の趣が生じる。また、香料を入れておくと、長時間にわたって、上部の開口部から良い香りが漂うので、これを身につけた本人自身や回りの人を良い気分にすることができる。
【００１０】
請求項２に記載の装身具は、上記装身具が左右対称的な形状となっているので、中央部に穴を設けた場合のバランス感が良好である。また、装身具の材質を、請求項３に記載のように、透明ないし半透明なプラスチック材料又はガラスとすることにより、成形が容易で、比較的軽量なものとすることができるとともに、左右中央部の穴に発光体等を入れた場合に、その色彩や光が外部から見えるため、デザイン的にも変化に富んだものとすることができる。さらに、請求項４に記載の装身具は、前記穴の左右両側に耳状の突起が形成され、これに表裏に通ずる通孔からなる紐穴が形成されているので、吊り下げ用の鎖等をこの紐穴に通して簡単に吊り下げることができる。
【考案を実施するための最良の形態】
【００１１】
以下、本考案の実施形態について具体的に説明する。図１は本考案に係る装身具としてのペンダントを例示するもので、このペンダント１は、透明ないし半透明のプラスチック材料で概略ハート形に成形されており、その左右中央部には、上に開口する上下方向の細長い穴２が穿孔されている。このペンダント１をガラスで製作してもよいが、プラスチック材料の方が軽量であり、損傷しにくいという利点があるので好ましい。穴２は、直径数ｍｍで、ペンダントの最下部付近まで達しているが、下端部は閉塞されている。なお、穴２は、使用時に垂直になるように設けておくのが好ましいが、場合によっては適度に傾斜していてもよい。
【００１２】
ペンダント１の中央部の上端部には、下側に向かって凹部３が形成され、この凹部がハート形の一部を形成している。図示例のペンダント１では、この凹部３は概略Ｖ字状の凹部となっており、その底部に上記穴２が開口している。このため、蛍光棒等の物品を入れるときに、凹部３の左右内壁がガイドとなって、物品を入れやすくなっている。また、ペンダント１の前記凹部３の左右両側には、耳状の突起５，５が突設されていて、該突起５には、表裏に連通する紐穴６がそれぞれ設けられている。この紐穴６は、ペンダントを吊り下げるための鎖（他の紐体でもよい）を通して繋ぐためのものである。
【００１３】
上記ペンダント１の穴２には、蛍光棒、発光ダイオード等の発光体や、香料等、好みの物品２０を収納して使用する。発光体として、外径が穴２の内径とほぼ等しい蛍光棒を使用すれば、穴２にちょうど嵌合することができるので遊びがなく、ペンダント１が揺れても雑音や損傷等が生じない。この穴２に入れる香料は、固形のものが好ましいが、粒状ないし粉末状でもよい。穴２の内径とほぼ等しい外径の棒状の香料を用いると、出し入れに便利である。これらの物品を入れた穴２の開口部は、内部の物品の逸脱を防止するため、栓等で閉塞しておくのが好ましいが、棒状の物品の場合は、嵌合状態を適度にきつくすることにより、特別な固定手段を用いなくても、逸脱を防止することができる。なお、場合によっては、接着剤等の固着手段で物品を穴２内部に固着するようにしてもよい。また、香料を入れて開口部に栓をする場合は、香りが穴２から外部へ徐々に流出する程度の微細な通孔を設けておけばよい。このような通孔を穴２の内部からペンダント１の表面もしくは裏面に連通するように設けておいてもよい。
【００１４】
このペンダント１の使用に際しては、上記耳状突起の紐穴６，６に鎖等の紐体１０を通して環状とし、首にかける。左右対称的な本体の中央部に設けられている上下方向の穴２には、蛍光棒等の発光体や香料の他に、好みの物品を入れておくことができる。発光体を入れておけば、左右対称的な本体の中央部に上下方向に沿って所定長さの光のラインが見えるので、デザイン的に特徴的なものとなり、見る人の興味を引くものとなる。また、この穴２に香料を入れておくと、その香りが徐々に外部に漏出するので、本人や回りの人を快くすることができる。
【００１５】
次に、図６は、星形のペンダント５０の例を表すもので、このペンダント５０は、正面視星形の２枚の板５１，５１を貼り合わせて形成したもので、各板５１の中央部には穴２を形成する溝状の凹部５１ａが形成されていて、２枚の板５１，５１を貼り合わせると、穴２が形成される。２枚の板の上部には隙間を設けて、穴２の開口部としている。このペンダント５０の肩部にはフック５２，５２が設けられ、これに鎖等の紐体１０が繋着される。
【００１６】
なお、以上の例では、ハート形や星形のものを例に取って説明したが、例えば花形等、これら以外の形状とすることができる。また、物品、例えば発光体や香料を入れる穴２は、左右対称的な本体の左右中央部に形成しているので、バランス感の良好なものとなっているが、この穴２は、美観を損なわず、重量バランスが偏らないような場所に設けておけばよく、厳密な意味で中央に位置している必要はない。また、上記実施形態では、装身具としてペンダントを例にとって説明したが、ブローチや他のアクセサリーに適用することもできる。この場合は、上記紐穴６、突起５、フック５２等は不要であり、クリップやピンで衣服等に取り付けるようにすればよい。なお、上記発光体や香料を穴２に装入する以外に、宝石等の装飾品を外面に取り付けておくことができることは言うまでもない。
【産業上の利用可能性】
【００１７】
本考案にかかる装身具は、プラスチック、ガラス等の材料を用いて工業生産的に製造することが可能であり、装身具の分野で大いに活用することができる。
【図面の簡単な説明】
【００１８】
【図１】本考案にかかる装身具の１例を表す正面図である。
【図２】その平面図である。
【図３】その側面図である。
【図４】物品を入れた状態を表す正面図である。
【図５】使用法の説明図である。
【図６】上記と異なる実施形態を例示する正面図（ａ）及び断面図（ｂ）である。
【符号の説明】
【００１９】
１，５０  ペンダント（装身具）
２        穴
３        凹部
５        耳状突起
６        紐穴
１０        紐体
【図１】
0003124952.tif 000003
【図２】
0003124952.tif 000004
【図３】
0003124952.tif 000005
【図４】
0003124952.tif 000006
【図５】
0003124952.tif 000007
【図６】
0003124952.tif 000008